(57)【要約】【課題】電子機器の電力消費量を抑えたまま電子機器が所定処理可能な状態であるか否かを確認可能な情報処理装置、情報処理システム及びプログラムを提供する。【解決手段】第１通信部及び第２通信部を備える印刷装置の電力モードが、少なくとも第１通信部が動作可能な第１電力モードか、第１通信部が動作不可能かつ第２通信部が動作可能な第２電力モードかを示す電力モード情報を記憶する電力モード情報記憶部１４１と、電力モードの移行通知に基づいて電力モード情報を更新する更新部１５１と、電力モード情報を参照して、電力モードが第１電力モードか第２電力モードかを判定する判定部１５３と、第１電力モードである場合、印刷装置から第１通信部を介して、状態情報を取得する第１取得部１５５と、状態情報を記憶する状態情報記憶部１４３と、第２電力モードである場合、状態情報記憶部１４３から状態情報を取得する第２取得部１５７と、を備える。【選択図】図２
2014135021.tif 000002
【特許請求の範囲】
【請求項１】
第１通信部及び第２通信部を備える電子機器の電力モードが、少なくとも前記第１通信部が動作可能な第１電力モードか、前記第１通信部が動作不可能かつ前記第２通信部が動作可能な第２電力モードかを示す電力モード情報を記憶する電力モード情報記憶部と、
外部からの電力モードの移行通知に基づいて、前記電力モード情報を更新する更新部と、
前記電力モード情報を参照して、前記電力モードが前記第１電力モードか前記第２電力モードかを判定する判定部と、
前記電力モードが前記第１電力モードである場合、前記電子機器から前記第１通信部を介して、前記電子機器が所定処理可能な状態であるか否かを示す状態情報を取得する第１取得部と、
前記状態情報を記憶する状態情報記憶部と、
前記電力モードが前記第２電力モードである場合、前記状態情報記憶部から前記状態情報を取得する第２取得部と、
を備える情報処理装置。
【請求項２】
前記判定部は、前記状態情報の取得イベントの発生に基づいて、前記電力モードが前記第１電力モードか前記第２電力モードかを判定し、
前記第１取得部は、前記電力モードが前記第１電力モードである場合、前記電子機器から前記第１通信部を介して前記状態情報を取得し、前記状態情報記憶部に記憶する請求項１に記載の情報処理装置。
【請求項３】
前記第１取得部は、前記移行通知が前記第２電力モードへの移行通知である場合、更に、前記電子機器から前記第１通信部を介して前記状態情報を取得し、前記状態情報記憶部に記憶する請求項１に記載の情報処理装置。
【請求項４】
情報処理装置と、第１通信部及び第２通信部を備える電子機器と、を備える情報処理システムであって、
前記情報処理装置は、
前記電子機器の電力モードが、少なくとも前記第１通信部が動作可能な第１電力モードか、前記第１通信部が動作不可能かつ前記第２通信部が動作可能な第２電力モードかを示す電力モード情報を記憶する電力モード情報記憶部と、
外部からの電力モードの移行通知に基づいて、前記電力モード情報を更新する更新部と、
前記電力モード情報を参照して、前記電力モードが前記第１電力モードか前記第２電力モードかを判定する判定部と、
前記電力モードが前記第１電力モードである場合、前記電子機器から前記第１通信部を介して、前記電子機器が所定処理可能な状態であるか否かを示す状態情報を取得する第１取得部と、
前記状態情報を記憶する状態情報記憶部と、
前記電力モードが前記第２電力モードである場合、前記状態情報記憶部から前記状態情報を取得する第２取得部と、を備え、
前記電子機器は、前記電力モードの移行に伴い、前記移行通知を行う
情報処理システム。
【請求項５】
前記判定部は、前記状態情報の取得イベントの発生に基づいて、前記電力モードが前記第１電力モードか前記第２電力モードかを判定し、
前記第１取得部は、前記電力モードが前記第１電力モードである場合、前記電子機器から前記第１通信部を介して前記状態情報を取得し、前記状態情報記憶部に記憶する請求項４に記載の情報処理システム。
【請求項６】
前記情報処理システムは、前記情報処理装置を複数備え、
前記電子機器は、前記複数の情報処理装置へ前記移行通知を行う請求項４又は５に記載の情報処理システム。
【請求項７】
前記情報処理システムは、前記情報処理装置を複数備えるとともに、リモート制御装置を更に備え、
前記電子機器は、前記リモート制御装置へ前記移行通知を行い、
前記リモート制御装置は、前記複数の情報処理装置へ前記移行通知を行う請求項４又は５に記載の情報処理システム。
【請求項８】
前記第１取得部は、前記情報処理装置が前記電子機器から前記状態情報を取得不可能な状態から取得可能な状態に復帰した場合、他の情報処理装置から前記状態情報を取得し、前記状態情報記憶部に記憶する請求項６又は７に記載の情報処理システム。
【請求項９】
前記情報処理システムは、リモート制御装置を更に備え、
前記第１取得部は、前記情報処理装置が前記電子機器から前記状態情報を取得不可能な状態から取得可能な状態に復帰した場合、前記第２電力モードの前記電子機器の前記第１電力モードへの移行指示を前記リモート制御装置へ送信し、
前記リモート制御装置は、前記移行指示を前記電子機器へ送信し、
前記電子機器は、前記移行指示に基づいて、前記電力モードの前記第２電力モードから前記第１電力モードへの移行、及び前記移行通知として前記第１電力モードへの移行通知を行い、
前記更新部は、前記第１電力モードへの移行通知に基づいて、前記電力モード情報が前記第１電力モードを示すように更新し、
前記判定部は、前記電力モード情報を参照して、前記電力モードが前記第１電力モードであると判定し、
前記第１取得部は、前記電力モードが前記第１電力モードである場合、前記電子機器から前記第１通信部を介して前記状態情報を取得し、前記状態情報記憶部に記憶する請求項４又は５に記載の情報処理システム。
【請求項１０】
第１通信部及び第２通信部を備える電子機器の電力モードが、少なくとも前記第１通信部が動作可能な第１電力モードか、前記第１通信部が動作不可能かつ前記第２通信部が動作可能な第２電力モードかを示す電力モード情報を記憶する電力モード情報記憶部と、
外部からの電力モードの移行通知に基づいて、前記電力モード情報を更新する更新部と、
前記電力モード情報を参照して、前記電力モードが前記第１電力モードか前記第２電力モードかを判定する判定部と、
前記電力モードが前記第１電力モードである場合、前記電子機器から前記第１通信部を介して、前記電子機器が所定処理可能な状態であるか否かを示す状態情報を取得する第１取得部と、
前記状態情報を記憶する状態情報記憶部と、
前記電力モードが前記第２電力モードである場合、前記状態情報記憶部から前記状態情報を取得する第２取得部と、
してコンピュータを機能させるためのプログラム。
【発明の詳細な説明】
【技術分野】
【０００１】
本発明は、情報処理装置、情報処理システム及びプログラムに関する。
【背景技術】
【０００２】
第１通信部及び当該第１通信部よりも電力消費の少ない第２通信部を備える画像形成装置において、第１通信部及び第２通信部が動作可能な通常電力モードと、第１通信部が動作不可能かつ第２通信部が動作可能な省電力モードとを、切り替え可能なものがある。このような画像形成装置では、省電力モード中に、ホスト機器からの通常電力モード復帰指示を第２通信部で受け付けて通常電力モードに復帰させ、ホスト機器からの印刷ジョブを第１通信部で受信し、印刷を行う（例えば、特許文献１参照）。
【０００３】
このような技術では、省電力モード中に第１通信部に電力を供給しないので、省電力モード中の消費電力をより削減することができる。
【発明の概要】
【発明が解決しようとする課題】
【０００４】
ところで、電子機器が所定処理可能な状態であるか否かをホスト機器が確認するために、ホスト機器が電子機器と通信を行うことがある。
【０００５】
このため、上述したような従来技術では、電子機器が省電力モード中の場合、通常電力モードに復帰させた後に、電子機器と通信を行い、電子機器が所定処理可能な状態であるか否かを確認する必要があり、当該確認に伴い、電子機器の電力消費量が増加してしまう。
【０００６】
本発明は、上記事情に鑑みてなされたものであり、電子機器の電力消費量を抑えたまま電子機器が所定処理可能な状態であるか否かを確認可能な情報処理装置、情報処理システム及びプログラムを提供することを目的とする。
【課題を解決するための手段】
【０００７】
上述した課題を解決し、目的を達成するために、本発明の一態様にかかる情報処理装置は、第１通信部及び第２通信部を備える電子機器の電力モードが、少なくとも前記第１通信部が動作可能な第１電力モードか、前記第１通信部が動作不可能かつ前記第２通信部が動作可能な第２電力モードかを示す電力モード情報を記憶する電力モード情報記憶部と、外部からの電力モードの移行通知に基づいて、前記電力モード情報を更新する更新部と、前記電力モード情報を参照して、前記電力モードが前記第１電力モードか前記第２電力モードかを判定する判定部と、前記電力モードが前記第１電力モードである場合、前記電子機器から前記第１通信部を介して、前記電子機器が所定処理可能な状態であるか否かを示す状態情報を取得する第１取得部と、前記状態情報を記憶する状態情報記憶部と、前記電力モードが前記第２電力モードである場合、前記状態情報記憶部から前記状態情報を取得する第２取得部と、を備える。
【０００８】
また、本発明の別の態様にかかる情報処理システムは、情報処理装置と、第１通信部及び第２通信部を備える電子機器と、を備える情報処理システムであって、前記情報処理装置は、前記電子機器の電力モードが、少なくとも前記第１通信部が動作可能な第１電力モードか、前記第１通信部が動作不可能かつ前記第２通信部が動作可能な第２電力モードかを示す電力モード情報を記憶する電力モード情報記憶部と、外部からの電力モードの移行通知に基づいて、前記電力モード情報を更新する更新部と、前記電力モード情報を参照して、前記電力モードが前記第１電力モードか前記第２電力モードかを判定する判定部と、前記電力モードが前記第１電力モードである場合、前記電子機器から前記第１通信部を介して、前記電子機器が所定処理可能な状態であるか否かを示す状態情報を取得する第１取得部と、前記状態情報を記憶する状態情報記憶部と、前記電力モードが前記第２電力モードである場合、前記状態情報記憶部から前記状態情報を取得する第２取得部と、を備え、前記電子機器は、前記電力モードの移行に伴い、前記移行通知を行う。
【０００９】
また、本発明の別の態様にかかるプログラムは、第１通信部及び第２通信部を備える電子機器の電力モードが、少なくとも前記第１通信部が動作可能な第１電力モードか、前記第１通信部が動作不可能かつ前記第２通信部が動作可能な第２電力モードかを示す電力モード情報を記憶する電力モード情報記憶部と、外部からの電力モードの移行通知に基づいて、前記電力モード情報を更新する更新部と、前記電力モード情報を参照して、前記電力モードが前記第１電力モードか前記第２電力モードかを判定する判定部と、前記電力モードが前記第１電力モードである場合、前記電子機器から前記第１通信部を介して、前記電子機器が所定処理可能な状態であるか否かを示す状態情報を取得する第１取得部と、前記状態情報を記憶する状態情報記憶部と、前記電力モードが前記第２電力モードである場合、前記状態情報記憶部から前記状態情報を取得する第２取得部と、してコンピュータを機能させるためのものである。
【発明の効果】
【００１０】
本発明によれば、電子機器の電力消費量を抑えたまま電子機器が所定処理可能な状態であるか否かを確認可能という効果を奏する。
【図面の簡単な説明】
【００１１】
【図１】図１は、本実施形態の情報処理システムの構成の一例を示すブロック図である。
【図２】図２は、本実施形態のＰＣの構成の一例を示すブロック図である。
【図３】図３は、本実施形態の印刷装置の構成の一例を示すブロック図である。
【図４】図４は、本実施形態のリモートコントローラの構成の一例を示すブロック図である。
【図５】図５は、本実施形態の情報処理システムで実行される処理の一例を示すフローチャートである。
【図６】図６は、変形例１の情報処理システムで実行される処理の一例を示すフローチャートである。
【図７】図７は、変形例２の情報処理システムの動作例を示すブロック図である。
【図８】図８は、変形例３の情報処理システムの動作例を示すブロック図である。
【図９】図９は、変形例４の情報処理システムの動作例を示すブロック図である。
【図１０】図１０は、変形例５の情報処理システムの動作例を示すブロック図である。
【発明を実施するための形態】
【００１２】
以下、添付図面を参照しながら、本発明にかかる情報処理装置、情報処理システム及びプログラムの実施形態を詳細に説明する。
【００１３】
まず、本実施形態の情報処理システムの構成について説明する。
【００１４】
図１は、本実施形態の情報処理システム１０の構成の一例を示すブロック図である。図１に示すように、情報処理システム１０は、ＰＣ（Personal  Computer）１００（情報処理装置の一例）と、印刷装置２００（電子機器の一例）と、リモートコントローラ３００（リモート制御装置の一例）とを、備える。
【００１５】
ＰＣ１００、印刷装置２００、及びリモートコントローラ３００は、ネットワーク２を介して接続されている。ネットワーク２は、例えば、インターネットやＬＡＮ（Local  Area  Network）などにより実現できる。
【００１６】
図２は、本実施形態のＰＣ１００の構成の一例を示すブロック図である。図２に示すように、ＰＣ１００は、通信部１１０と、操作部１２０と、表示部１３０と、記憶部１４０と、制御部１５０とを、備える。
【００１７】
通信部１１０は、ネットワーク２を介して、印刷装置２００やリモートコントローラ３００などの外部装置と通信するものであり、ＮＩＣ（Network  Interface  Card）などにより実現できる。
【００１８】
操作部１２０は、各種操作の入力を行うものであり、キーボード、マウス、タッチパッド、及びタッチパネルなどの入力装置により実現できる。
【００１９】
表示部１３０は、各種画面を表示するものであり、液晶ディスプレイ及びタッチパネル式ディスプレイなどの表示装置により実現できる。
【００２０】
記憶部１４０は、ＰＣ１００で実行される各種プログラムやＰＣ１００で行われる各種処理に使用される各種データなどを記憶する。記憶部１４０は、例えば、ＨＤＤ（Hard  Disk  Drive）、ＳＳＤ（Solid  State  Drive）、メモリカード、光ディスク、ＲＯＭ（Read  Only  Memory）、及びＲＡＭ（Random  Access  Memory）などの磁気的、光学的、及び電気的に記憶可能な記憶装置の少なくともいずれかにより実現できる。
【００２１】
記憶部１４０は、電力モード情報記憶部１４１と、状態情報記憶部１４３とを、含む。
【００２２】
電力モード情報記憶部１４１は、印刷装置２００の電力モードが、通常電力モード（第１電力モードの一例）か、省電力モード（第２電力モードの一例）かを示す電力モード情報を記憶する。
【００２３】
状態情報記憶部１４３は、印刷装置２００が所定処理可能な状態であるか否かを示す状態情報を記憶する。本実施形態では、所定処理が印刷である場合を例に取り説明するが、これに限定されるものではない。
【００２４】
制御部１５０は、ＰＣ１００の各部を制御するものであり、ＣＰＵ（Central  Processing  Unit）などの制御装置により実現できる。制御部１５０は、更新部１５１と、判定部１５３と、第１取得部１５５と、第２取得部１５７と、表示制御部１５９と、印刷指示部１６１（プリンタドライバの一例）とを、備える。ここで、制御部１５０は、記憶部１４０に記憶されているプログラムを起動（実行）することにより、更新部１５１、判定部１５３、第１取得部１５５、第２取得部１５７、表示制御部１５９、及び印刷指示部１６１をソフトウェアとして実現する。
【００２５】
更新部１５１は、印刷装置２００からの電力モードの移行通知に基づいて、電力モード情報記憶部１４１の電力モード情報を更新する。例えば、更新部１５１は、移行通知が通常電力モードへの移行通知である場合、電力モード情報が通常電力モードを示すように更新し、移行通知が省電力モードへの移行通知である場合、電力モード情報が省電力モードを示すように更新する。
【００２６】
判定部１５３は、電力モード情報記憶部１４１の電力モード情報を参照して、印刷装置２００の電力モードが通常電力モードか省電力モードかを判定する。例えば、判定部１５３は、状態情報の取得イベントの発生に基づいて、印刷装置２００の電力モードが通常電力モードか省電力モードかを判定する。
【００２７】
第１取得部１５５は、印刷装置２００の電力モードが通常電力モードである場合、印刷装置２００から状態情報を取得し、状態情報記憶部１４３に記憶する。
【００２８】
第２取得部１５７は、印刷装置２００の電力モードが省電力モードである場合、状態情報記憶部１４３から状態情報を取得する。
【００２９】
表示制御部１５９は、第１取得部１５５により取得された状態情報、又は第２取得部１５７により取得された状態情報に基づいて、印刷装置２００が印刷可能な状態であるか否かを表示部１３０に表示する。
【００３０】
印刷指示部１６１は、印刷装置２００の電力モードが通常電力モードである場合、印刷装置２００へ印刷ジョブを送信し、印刷装置２００へ印刷を指示する。
【００３１】
また印刷指示部１６１は、印刷装置２００の電力モードが省電力モードである場合、リモートコントローラ３００へ印刷装置２００の通常電力モードへの移行指示を送信する。これにより、リモートコントローラ３００が印刷装置２００へ通常電力モードへの移行指示を送信し、印刷装置２００は通常電力モードへ移行（復帰）する。そして印刷指示部１６１は、通常電力モードへ移行した印刷装置２００へ印刷ジョブを送信し、印刷装置２００へ印刷を指示する。
【００３２】
なお、ＰＣ１００は、上述した各部の全てを必須の構成とする必要はなく、その一部を省略した構成としてもよい。
【００３３】
図３は、本実施形態の印刷装置２００の構成の一例を示すブロック図である。図３に示すように、印刷装置２００は、電源部２１０と、第１通信部２２０と、第２通信部２３０と、操作部２４０と、表示部２５０と、印刷部２６０と、記憶部２７０と、制御部２８０とを、備える。
【００３４】
電源部２１０は、印刷装置２００の各部への電力供給を行う。ここで、電源部２１０は、印刷装置２００の電力モードが通常電力モードである場合、第１通信部２２０、第２通信部２３０、操作部２４０、表示部２５０、印刷部２６０、記憶部２７０、及び制御部２８０など印刷装置２００の各部へ電力を供給する。つまり、通常電力モードでは、少なくとも第１通信部２２０が動作可能である。
【００３５】
一方、電源部２１０は、印刷装置２００の電力モードが省電力モードである場合、第２通信部２３０へ電力を供給し、第１通信部２２０など印刷装置２００の他部への電力供給を行わない。つまり、省電力モードでは、第１通信部２２０が動作不可能かつ第２通信部２３０が動作可能である。
【００３６】
第１通信部２２０は、ネットワーク２を介して、ＰＣ１００などの外部装置と通信するものであり、ＮＩＣなどにより実現できる。
【００３７】
本実施形態では、通常電力モードの場合、第１通信部２２０に電力が供給され、第１通信部２２０が動作可能であるため、ＰＣ１００と通信可能となり、省電力モードの場合、第１通信部２２０に電力が供給されず、第１通信部２２０が動作不可能であるため、ＰＣ１００と通信不可能となる。
【００３８】
第２通信部２３０は、リモートコントローラ３００などの外部装置と通信するものであり、第１通信部２２０よりも電力消費量が少ない通信部であればよい。第２通信部２３０は、例えば、赤外線通信部、特定省電力無線通信部、Ｂｌｕｅｔｏｏｔｈ（登録商標）、Ｚｉｇｂｅｅ（登録商標）、及びＥｎＯｃｅａｎなど汎用的な近距離無線通信を行う無線通信部や独自仕様の無線通信部などにより実現できる。
【００３９】
操作部２４０は、各種操作の入力を行うものであり、キースイッチやタッチパネルなどの入力装置により実現できる。
【００４０】
表示部２５０は、各種画面を表示するものであり、液晶ディスプレイ及びタッチパネル式ディスプレイなどの表示装置により実現できる。
【００４１】
印刷部２６０は、ＰＣ１００からネットワーク２経由で第１通信部２２０に送信された印刷ジョブに基づいて印刷を行う。
【００４２】
記憶部２７０は、印刷装置２００で実行される各種プログラムや印刷装置２００で行われる各種処理に使用される各種データなどを記憶する。記憶部２７０は、例えば、ＨＤＤ、ＳＳＤ、メモリカード、光ディスク、ＲＯＭ、及びＲＡＭなどの磁気的、光学的、及び電気的に記憶可能な記憶装置の少なくともいずれかにより実現できる。記憶部２７０は、例えば、印刷装置２００が印刷可能な状態であるか否かを示す状態情報を記憶する。
【００４３】
制御部２８０は、印刷装置２００の各部を制御するものであり、ＣＰＵなどの制御装置により実現できる。制御部２８０は、移行部２８１と、通知部２８３とを、備える。ここで、制御部２８０は、記憶部２７０に記憶されているプログラムを起動（実行）することにより、移行部２８１、及び通知部２８３をソフトウェアとして実現する。
【００４４】
移行部２８１は、印刷装置２００の電力モードを移行する。例えば、移行部２８１は、印刷装置２００が一定時間使用されなければ、電力モードを通常電力モードから省電力モードへ移行する。また例えば、移行部２８１は、リモートコントローラ３００から第２通信部２３０に送信された通常電力モードへの移行指示に基づいて、電力モードを省電力モードから通常電力モードへ移行する。
【００４５】
通知部２８３は、移行部２８１による電力モードの移行に伴い、印刷装置２００の電力モードの移行通知を行う。例えば、通知部２８３は、移行部２８１による通常電力モードから省電力モードへの移行に伴い、第１通信部２２０からネットワーク２経由でＰＣ１００へ省電力モードへの移行通知を行う。また例えば、通知部２８３は、移行部２８１による省電力モードから通常電力モードへの移行に伴い、第１通信部２２０からネットワーク２経由でＰＣ１００へ通常電力モードへの移行通知を行う。
【００４６】
なお、印刷装置２００は、上述した各部の全てを必須の構成とする必要はなく、その一部を省略した構成としてもよい。
【００４７】
図４は、本実施形態のリモートコントローラ３００の構成の一例を示すブロック図である。図４に示すように、リモートコントローラ３００は、第１通信部３１０と、第２通信部３２０と、制御部３３０とを、備える。
【００４８】
第１通信部３１０は、ネットワーク２を介して、ＰＣ１００などの外部装置と通信するものであり、ＮＩＣなどにより実現できる。
【００４９】
第２通信部３２０は、印刷装置２００などの外部装置と通信するものであり、印刷装置２００の第２通信部２３０同様、例えば、赤外線通信部、特定省電力無線通信部、Ｂｌｕｅｔｏｏｔｈ、Ｚｉｇｂｅｅ、及びＥｎＯｃｅａｎなど汎用的な近距離無線通信を行う無線通信部や独自仕様の無線通信部などにより実現できる。
【００５０】
制御部３３０は、リモートコントローラ３００の各部を制御するものであり、ＣＰＵなどの制御装置により実現できる。制御部３３０は、ＰＣ１００からネットワーク２経由で第１通信部３１０に通常電力モードへの移行指示が送信されると、当該移行指示を第２通信部３２０から印刷装置２００へ送信する。
【００５１】
なお、リモートコントローラ３００は、上述した各部の全てを必須の構成とする必要はなく、その一部を省略した構成としてもよい。
【００５２】
次に、本実施形態の情報処理システムの動作について説明する。
【００５３】
図５は、本実施形態の情報処理システム１０で実行される処理の一例を示すフローチャートである。なお、図５に示す例では、処理開始時の印刷装置２００の電力モードが通常電力モードとなっているが、これに限定されるものではない。
【００５４】
まず、ＰＣ１００の判定部１５３は、ユーザ操作やアプリケーションにより状態情報の取得イベントが発生すると（ステップＳ１００）、電力モード情報記憶部１４１の電力モード情報を読み出し、印刷装置２００の電力モードが通常電力モードであると判定する（ステップＳ１０１）。
【００５５】
続いて、ＰＣ１００の第１取得部１５５は、印刷装置２００の電力モードが通常電力モードであるので、ネットワーク２経由で印刷装置２００の第１通信部２２０に状態情報取得要求を行い（ステップＳ１０２）、印刷装置２００の制御部２８０は、第１通信部２２０で状態情報取得要求を受信する。そして制御部２８０は、記憶部２７０から状態情報を読み出し（ステップＳ１０３）、読み出した状態情報を第１通信部２２０からネットワーク２経由でＰＣ１００に通知する（ステップＳ１０４）。これにより、第１取得部１５５は、状態情報を取得し、状態情報記憶部１４３に記憶する（ステップＳ１０５）。
【００５６】
続いて、ＰＣ１００の表示制御部１５９は、取得された状態情報（印刷装置２００が印刷可能な状態であるか否か）を表示部１３０に表示する（ステップＳ１０６）。但し、状態情報の利用態様は、これに限定されるものではなく、用途に応じて利用すればよい。
【００５７】
なお、ステップＳ１００〜Ｓ１０６の期間は、印刷装置２００の電力モードは通常電力モードである。
【００５８】
続いて、印刷装置２００の通知部２８３は、ユーザ操作や印刷装置２００が一定時間使用されないなどにより省電力モードへの移行イベントが発生すると（ステップＳ１０７）、第１通信部２２０からネットワーク２経由でＰＣ１００へ省電力モードへの移行通知を行う（ステップＳ１０８）。そして印刷装置２００の移行部２８１は、省電力モードへの移行処理を行う（ステップＳ１０９）。
【００５９】
続いて、ＰＣ１００の更新部１５１は、印刷装置２００からの省電力モードへの移行通知に基づいて、電力モード情報記憶部１４１の電力モード情報が省電力モードを示すように更新する（ステップＳ１１０）。
【００６０】
なお、ステップＳ１０７〜Ｓ１１０の期間は、印刷装置２００は省電力モードへの移行期間である。
【００６１】
続いて、判定部１５３は、ユーザ操作やアプリケーションにより状態情報の取得イベントが発生すると（ステップＳ１１１）、電力モード情報記憶部１４１の電力モード情報を読み出し、印刷装置２００の電力モードが省電力モードであると判定する（ステップＳ１１２）。
【００６２】
続いて、ＰＣ１００の第２取得部１５７は、印刷装置２００の電力モードが省電力モードであるので、状態情報記憶部１４３から状態情報を取得する（ステップＳ１１３）。そして、ＰＣ１００の表示制御部１５９は、取得された状態情報（印刷装置２００が印刷可能な状態であるか否か）を表示部１３０に表示する（ステップＳ１１４）。
【００６３】
なお、ステップＳ１１１〜Ｓ１１４の期間は、印刷装置２００の電力モードは省電力モードである。
【００６４】
以上のように本実施形態では、印刷装置から取得した状態情報をＰＣに記憶しておき、印刷装置が省電力状態の場合、状態情報を印刷装置からではなくＰＣから取得する。従って本実施形態では、印刷装置が省電力状態であっても、印刷装置を通常電力状態に復帰させずに、印刷装置の状態情報を取得できるので、印刷装置の電力消費量を抑えたまま印刷装置が印刷可能な状態であるか否かを確認することができる。つまり、本実施形態では、印刷装置が省電力状態であっても、印刷装置が印刷可能な状態であるか否かを確認することができる。
【００６５】
特に本実施形態では、ＰＣ側に印刷装置の第２通信部に相当する通信部などを設けずに、印刷装置の電力消費量を抑えたまま印刷装置が印刷可能な状態であるか否かを確認することができるので、ＰＣ側のコストや電力消費量も抑えることができる。
【００６６】
更に本実施形態では、印刷装置がリモートコントローラに状態情報を送信し、リモートコントローラが当該状態情報を保持するなどしなくても、印刷装置の電力消費量を抑えたまま印刷装置が印刷可能な状態であるか否かを確認することができるので、リモートコントローラ側のコストや電力消費量も抑えることができる。
【００６７】
なお本実施形態では、ＰＣが印刷装置から取得した状態情報を記憶してから、当該状態情報を用いて印刷装置が印刷可能な状態であるか否かを確認するまでの間に、印刷装置の状態変化（印刷装置が印刷可能な状態であるか否かの変化）はないものとする。
【００６８】
（変形例）
なお、本発明は、上記実施形態に限定されるものではなく、種々の変形が可能である。
【００６９】
（変形例１）
変形例１では、上記実施形態と状態情報の更新（記憶）タイミングが異なる例について説明する。
【００７０】
図６は、変形例１の情報処理システムで実行される処理の一例を示すフローチャートである。なお、図６に示す例でも、処理開始時の印刷装置２００の電力モードが通常電力モードとなっているが、これに限定されるものではない。
【００７１】
まず、ステップＳ２００〜Ｓ２０４までの処理は、図５に示すフローチャートのステップＳ１００〜Ｓ１０４までの処理と同様である。
【００７２】
続いて、第１取得部１５５は、印刷装置２００から状態情報を取得し、ＰＣ１００の表示制御部１５９は、取得された状態情報（印刷装置２００が印刷可能な状態であるか否か）を表示部１３０に表示する（ステップＳ２０５）。但し、状態情報の利用態様は、これに限定されるものではなく、用途に応じて利用すればよい。
【００７３】
なお、ステップＳ２００〜Ｓ２０５の期間は、印刷装置２００の電力モードは通常電力モードである。
【００７４】
続いて、印刷装置２００の通知部２８３は、ユーザ操作や印刷装置２００が一定時間使用されないなどにより省電力モードへの移行イベントが発生すると（ステップＳ２０６）、第１通信部２２０からネットワーク２経由でＰＣ１００へ省電力モードへの移行通知を行う（ステップＳ２０７）。
【００７５】
続いて、ＰＣ１００の更新部１５１は、印刷装置２００からの省電力モードへの移行通知に基づいて、電力モード情報記憶部１４１の電力モード情報が省電力モードを示すように更新する（ステップＳ２０８）。
【００７６】
続いて、ＰＣ１００の第１取得部１５５は、ステップＳ２０７の移行通知が省電力モードへの移行通知であるので、ネットワーク２経由で印刷装置２００の第１通信部２２０に状態情報取得要求を行い（ステップＳ２０９）、印刷装置２００の制御部２８０は、第１通信部２２０で状態情報取得要求を受信する。そして制御部２８０は、記憶部２７０から状態情報を読み出し（ステップＳ２１０）、読み出した状態情報を第１通信部２２０からネットワーク２経由でＰＣ１００に通知する（ステップＳ２１１）。そして印刷装置２００の移行部２８１は、省電力モードへの移行処理を行う（ステップＳ２１２）。
【００７７】
これにより、第１取得部１５５は、状態情報を取得し、状態情報記憶部１４３に記憶する（ステップＳ２１３）。
【００７８】
なお、ステップＳ２０６〜Ｓ２１３の期間は、印刷装置２００は省電力モードへの移行期間である。
【００７９】
以下、ステップＳ２１４〜Ｓ２１７までの処理は、図５に示すフローチャートのステップＳ１１１〜Ｓ１１４までの処理と同様である。
【００８０】
なお、ステップＳ２１４〜Ｓ２１７の期間は、印刷装置２００の電力モードは省電力モードである。
【００８１】
変形例１によれば、印刷装置が省電力状態へ移行する際に状態情報を取得してＰＣに記憶するので、ＰＣが印刷装置から取得した状態情報を記憶してから、当該状態情報を用いて印刷装置が印刷可能な状態であるか否かを確認するまでの期間を上記実施形態よりも短くすることが可能となる。このため、ＰＣが印刷装置から状態情報を取得してから、当該状態情報を用いて印刷装置が印刷可能な状態であるか否かを確認するまでの間に、印刷装置の状態変化（印刷装置が印刷可能な状態であるか否かの変化）が発生する場合に有用である。
【００８２】
（変形例２）
変形例２では、ＰＣが複数存在する場合に、印刷装置が全てのＰＣへ移行通知を行う例について説明する。
【００８３】
図７は、変形例２の情報処理システムの動作例を示すブロック図である。図７に示すように、変形例２では、ＰＣ１００Ａ〜ＰＣ１００Ｃの３台のＰＣが存在する点で上記実施形態と相違する。但し、ＰＣ１００Ａ〜ＰＣ１００Ｃは、いずれも上記実施形態のＰＣ１００と同様の構成を備えているものとする。なお、ＰＣの台数は、これに限定されるものではなく、複数台であれば何台であってもよい。
【００８４】
変形例２では、印刷装置２００の通知部２８３は、電力モードの移行に伴い、ＰＣ１００Ａ〜ＰＣ１００Ｃに対して、印刷装置２００の電力モードの移行通知を行う。
【００８５】
これにより、情報処理システムが複数のＰＣを備えている場合であっても上記実施形態の手法を適用できる。
【００８６】
（変形例３）
変形例３では、ＰＣが複数存在する場合に、効率的に全てのＰＣへ移行通知を行う例について説明する。
【００８７】
図８は、変形例３の情報処理システムの動作例を示すブロック図である。図８に示すように、変形例３では、ＰＣ１００Ａ〜ＰＣ１００Ｃの３台のＰＣが存在する点で上記実施形態と相違する。但し、ＰＣ１００Ａ〜ＰＣ１００Ｃは、いずれも上記実施形態のＰＣ１００と同様の構成を備えているものとする。なお、ＰＣの台数は、これに限定されるものではなく、複数台であれば何台であってもよい。
【００８８】
変形例３では、印刷装置２００の通知部２８３は、電力モードの移行に伴い、リモートコントローラ３００に対して、印刷装置２００の電力モードの移行通知を行い、リモートコントローラ３００が、ＰＣ１００Ａ〜ＰＣ１００Ｃに対して、印刷装置２００の電力モードの移行通知を行う。
【００８９】
これにより、情報処理システムが複数のＰＣを備えている場合であっても上記実施形態の手法を適用できる。特に変形例３の手法によれば、印刷装置は、複数台のＰＣ全てに移行通知を行う必要はなく、リモートコントローラに移行通知を行えばよい。このため、変形例３の手法によれば、変形例２の手法に比べ、印刷装置による移行通知の送信時間を短縮でき、電力モードの移行時間を短縮できるので、電力モードの移行を早めることができる。
【００９０】
（変形例４）
変形例４では、ＰＣが印刷装置から状態情報を取得不可能な状態から取得可能な状態に復帰した際に印刷装置が省電力モードである場合、他のＰＣから状態情報を取得する例について説明する。
【００９１】
図９は、変形例４の情報処理システムの動作例を示すブロック図である。図９に示すように、変形例４では、ＰＣ１００Ａ〜ＰＣ１００Ｃの３台のＰＣが存在する点で上記実施形態と相違する。但し、ＰＣ１００Ａ〜ＰＣ１００Ｃは、いずれも上記実施形態のＰＣ１００と同様の構成を備えているものとする。なお、ＰＣの台数は、これに限定されるものではなく、複数台であれば何台であってもよい。
【００９２】
また変形例４では、印刷装置２００の通知部２８３は、変形例２や変形例３で説明したように、電力モードの移行に伴い、ＰＣ１００Ａ〜ＰＣ１００Ｃに対して、直接又は間接的に印刷装置２００の電力モードの移行通知を行うものとする。
【００９３】
変形例４では、ＰＣ１００Ｃの第１取得部１５５は、ＰＣ１００Ｃが起動（電源オン）した場合など印刷装置２００から状態情報を取得不可能な状態から取得可能な状態に復帰した場合、ＰＣ１００Ｂから印刷装置２００の状態情報を取得し、状態情報記憶部１４３に記憶する。
【００９４】
これにより、ＰＣ１００Ｃが起動直後などであり、印刷装置２００が印刷可能な状態であるか否かＰＣ１００Ｃがわからない場合でも、印刷装置を省電力状態から通常電力状態に復帰させずに、印刷装置の状態情報を取得できるので、印刷装置の電力消費量を抑えたまま印刷装置が印刷可能な状態であるか否かを確認することができる。
【００９５】
なお変形例４では、他のＰＣから状態情報を取得する例について説明したが、これに限定されず、印刷装置が複数存在し、印刷装置が互いの状態情報を保持するようにすれば、他の印刷装置から状態情報を取得することもできる。
【００９６】
（変形例５）
変形例５では、ＰＣが印刷装置から状態情報を取得不可能な状態から取得可能な状態に復帰した際に印刷装置が省電力モードである場合、印刷装置を通常電力モードへ復帰させて、状態情報を取得する例について説明する。
【００９７】
図１０は、変形例５の情報処理システムの動作例を示すブロック図である。図１０に示すように、変形例５では、ＰＣ１００Ａ〜ＰＣ１００Ｃの３台のＰＣが存在し、ＰＣ１００Ａ〜ＰＣ１００Ｃは、いずれも上記実施形態のＰＣ１００と同様の構成を備えているものとする。なお、ＰＣの台数は、これに限定されるものではなく、上記実施形態同様１台であってもよいし、複数台であってもよい。
【００９８】
変形例５では、ＰＣ１００Ｃの第１取得部１５５は、ＰＣ１００Ｃが起動（電源オン）した場合など印刷装置２００から状態情報を取得不可能な状態から取得可能な状態に復帰した場合、省電力モードの印刷装置２００の通常電力モードへの移行指示をリモートコントローラ３００へ送信する。リモートコントローラ３００は、当該移行指示を省電力モードの印刷装置２００に送信する。
【００９９】
そして、印刷装置２００の移行部２８１は、当該移行指示に基づいて、電力モードを省電力モードから通常電力モードへ移行し、通知部２８３は、ＰＣ１００Ａ〜ＰＣ１００Ｃに対して、印刷装置２００の通常電力モードへの移行通知を行う。なお、通知部２８３は、変形例３のように、リモートコントローラ３００経由で移行通知を行ってもよい。
【０１００】
この後、ＰＣ１００Ｃの更新部１５１は、印刷装置２００の通常電力モードへの移行通知に基づいて、電力モード情報が通常電力モードを示すように更新する。判定部１５３は、電力モード情報を参照して、印刷装置２００の電力モードが通常電力モードであると判定する。第１取得部１５５は、印刷装置２００の電力モードが通常電力モードであるので、印刷装置２００から状態情報を取得し、状態情報記憶部１４３に記憶する。
【０１０１】
これにより、ＰＣ１００Ｃが起動直後などであり、印刷装置２００が印刷可能な状態であるか否かＰＣ１００Ｃがわからない場合でも、印刷装置２００が印刷可能な状態であるか否かを確認できる。
【０１０２】
（変形例６）
上記実施形態及び各変形例では、リモートコントローラが１台の場合を例に取り説明したが、無線通信の通信可能距離を考慮して必要であれば複数のリモートコントローラを備えるようにしてもよい。また、複数のリモートコントローラを備えるようにせずに、ホップ通信を利用することで、無線通信の通信可能距離を広げるようにしてもよい。
【０１０３】
（変形例７）
上記実施形態及び各変形例では、電子機器の一例として印刷装置を例に取り説明したが、これに限定されず、複写機、複合機（ＭＦＰ：Multifunction  Peripheral）、及びファクシミリ装置等の画像形成装置やプロジェクタなどの各種電子機器であればよい。例えば、電子機器がプロジェクタであれば、所定処理を画像投影とすればよい。複合機は、複写機能、印刷機能、スキャナ機能、及びファクシミリ機能のうち少なくとも２つの機能を有するものである。
【０１０４】
（変形例８）
上記実施形態及び各変形例では、情報処理装置の一例としてＰＣを例に取り説明したが、これに限定されず、タブレットやスマートフォン等であってもよい。情報処理装置が複数存在する場合には、これら（例えば、ＰＣとタブレットなど）が混在していてもよい。
【０１０５】
（ハードウェア構成）
本実施形態及び各変形例のＰＣのハードウェア構成の一例を説明する。本実施形態及び各変形例のＰＣは、ＣＰＵなどの制御装置と、ＲＯＭやＲＡＭなどの記憶装置と、ＨＤＤやＳＳＤなどの外部記憶装置と、ディスプレイなどの表示装置と、マウスやキーボードなどの入力装置と、ＮＩＣなどの通信装置とを、備えており、通常のコンピュータを利用したハードウェア構成で実現できる。
【０１０６】
本実施形態及び各変形例のＰＣで実行されるプログラムは、インストール可能な形式又は実行可能な形式のファイルでＣＤ−ＲＯＭ、ＣＤ−Ｒ、メモリカード、ＤＶＤ（Digital  Versatile  Disk）、フレキシブルディスク（ＦＤ）等のコンピュータで読み取り可能な記憶媒体に記憶されて提供される。
【０１０７】
また、本実施形態及び各変形例のＰＣで実行されるプログラムを、インターネット等のネットワークに接続されたコンピュータ上に格納し、ネットワーク経由でダウンロードさせることにより提供するようにしてもよい。また、本実施形態及び各変形例のＰＣで実行されるプログラムを、インターネット等のネットワーク経由で提供または配布するようにしてもよい。また、本実施形態及び各変形例のＰＣで実行されるプログラムを、ＲＯＭ等に予め組み込んで提供するようにしてもよい。
【０１０８】
本実施形態及び各変形例のＰＣで実行されるプログラムは、上述した各部をコンピュータ上で実現させるためのモジュール構成となっている。実際のハードウェアとしては、制御装置が外部記憶装置からプログラムを記憶装置上に読み出して実行することにより、上記各部がコンピュータ上で実現されるようになっている。
【符号の説明】
【０１０９】
２  ネットワーク
１０  情報処理システム
１００、１００Ａ、１００Ｂ、１００Ｃ  ＰＣ
１１０  通信部
１２０  操作部
１３０  表示部
１４０  記憶部
１４１  電力モード情報記憶部
１４３  状態情報記憶部
１５０  制御部
１５１  更新部
１５３  判定部
１５５  第１取得部
１５７  第２取得部
１５９  表示制御部
１６１  印刷指示部
２００  印刷装置
２１０  電源部
２２０  第１通信部
２３０  第２通信部
２４０  操作部
２５０  表示部
２６０  印刷部
２７０  記憶部
２８０  制御部
２８１  移行部
２８３  通知部
３００  リモートコントローラ
３１０  第１通信部
３２０  第２通信部
３３０  制御部
【先行技術文献】
【特許文献】
【０１１０】
【特許文献１】特開２００９−１２９２４２号公報
【図１】
2014135021.tif 000003
【図２】
2014135021.tif 000004
【図３】
2014135021.tif 000005
【図４】
2014135021.tif 000006
【図５】
2014135021.tif 000007
【図６】
2014135021.tif 000008
【図７】
2014135021.tif 000009
【図８】
2014135021.tif 000010
【図９】
2014135021.tif 000011
【図１０】
2014135021.tif 000012